(57)【要約】      （修正有）【課題】容易に足部へ着脱可能とする装置手段を備えた伸縮自在な帯状ベルトに、足裏のツボを指圧する半円球体突起部からなり、その帯状ベルトを足部に装着することで、足裏土踏まずのツボを刺激する指圧効果、更にマグネット及びトルマリンの相乗効果作用による疲労緩和、冷え症改善及び代謝促進を目的とした健康用具を提供する。【解決手段】足のサイズに拘わらず足部を自在に着脱固定する伸縮自在な帯状ベルト４にマジックテープ５（登録商標）または複数のフック及び複数のフック孔を設けた、自在に着脱可能な装着手段を具備し、その帯状ベルト４の中央部に足裏土踏まず３のツボを指圧刺激する、ゴムまたは可塑性樹脂からなる半円球体突起部６を設け、突起部の先端にマグネットを埋込固定、もしくは半円球体突起部６の部材にトルマリン鉱石粉粒体を添加、または前記突起部６にトルマリン鉱石粒体を封入した健康用具。【選択図】図１
0003102145.tif 000002
【実用新案登録請求の範囲】
【請求項１】
足部に着脱可能な装着手段として、マジックテープまたはフックを設けた伸縮自在な帯状ベルトの中央部に、ゴムまたは可塑性樹脂からなる半円球体突起部を設け、その半円球体突起部材にトルマリン鉱石粉粒体を添加、またはトルマリン鉱石粒体を突起部に封入し、帯状ベルトを前記装着手段により足部に装着することで、半円球体突起部は足裏土踏まずのツボを常に指圧することを特徴とする健康用具。
【請求項２】
前記半円球体突起部先端にマグネットを埋込固定したことを特徴とする請求項１記載の健康用具。
【考案の詳細な説明】
【技術分野】
【０００１】本考案は、足裏を指圧する突起部を設けた着脱可能とする伸縮自在な帯状ベルトを、足部に装着することにより、足裏土踏まずのツボを指圧し、更にマグネットまたはトルマリンを併用することで代謝促進相乗効果を目的とした健康用具に関する。
【背景技術】
【０００２】従来、足裏土踏まずのツボを指圧するものとしては、足踏み健康器等が知られている。
【考案の開示】
【考案が解決しようとする課題】
【０００３】本考案の目的は、容易に着脱可能な装着手段を具備した、伸縮自在な帯状ベルトに設けられた足裏のツボを指圧する半円球体突起部により、足裏土踏まずのツボを指圧する効果、更にマグネットまたはトルマリンを併用することで、相乗効果作用を備えている健康用具を提供することにある。
【課題を解決するための手段】
【０００４】本考案は、伸縮自在な帯状ベルトに、足部へ着脱可能な装着手段として、マジックテープ（登録商標）または複数のフック及び複数のフック孔を設けることで可能となり、その帯状ベルト中央部に、足裏ツボ指圧用のゴムまたは可塑性樹脂からなる半円球体突起部を設け、更に半円球体突起部の先端にマグネットを埋込固定、もしくは前記突起部材にトルマリン鉱石粉粒体を添加、またはトルマリン鉱石粒体を突起部に封入したことを特徴とする健康用具である。
【考案の効果】
【０００５】前記着脱手段を用いた伸縮自在な帯状ベルトにより、当核健康用具は自在に足部へ着脱ができると共に着座姿勢及び就眠時にも装着が可能であり、特にトルマリン効果として知られている遠赤外線及びマイナスイオンの発生等による血流代謝促進、並びに半円球体突起部の指圧による相乗効果にて疲労緩和、冷え症改善及び睡眠促進効果も得られる。
【考案を実施するための最良の形態】
【０００６】図１は本実施形態の健康用具を上面から見た斜視図である。
伸縮自在な帯状ベルト４にマジックテープ（登録商標）５を設け、帯状ベルト４の中央部にゴムまたは熱可塑性樹脂からなる半円球体突起部６を固定し、その半円球体突起部６の部材にトルマリン鉱石粉粒体を添加、またはトルマリン鉱石粒体を半円球体突起部６に封入した構成からなる健康用具。【０００７】図２は当核健康用具の着脱手段として帯状ベルト４に、複数のフック８及び複数のフック孔９を設けた構成の上面斜視図である。
フック取付装着手段にすることで、マジックテープ５による装着手段より強い指圧力を得ることが可能となる。
また、半円球体突起部６は、部材であるゴムまたは熱可塑性樹脂にトルマリン鉱石粉粒体を添加、もしくはトルマリン鉱石粒体を半円球体突起部６に封入した構成からなる健康用具。【０００８】図３は当核健康用具に設けられている半円球体突起部６の先端部に、マグネット７を埋込固定した構成からなる健康用具。【０００９】図４、図５、図６は当核健康用具１を足部に装着する、または装着した斜視図及び断面図である。
図４に示す半円球体突起部６を足裏土踏まず３にあてがい、図５及び図６に示すように、前記装着手段により当核健康用具１を足部２に装着することで、伸縮自在な帯状ベルト１は、足部２の形状に合うよう装着固定され、半円球体突起部６は、足裏土踏まず３を常に指圧している状態となる。
【図面の簡単な説明】
【０００９】
【図１】  本考案における健康用具の上面斜視図。
【図２】  本考案における着脱手段としてフックを用いた健康用具の上面斜視図。
【図３】  本考案における突起部先端にマグネットを埋込固定した上面斜視図。
【図４】  本考案における健康用具を足部に装着しうる上面斜視図。
【図５】  本考案における健康用具を足部に装着した状態斜視図。
【図６】  本考案における健康用具を足部に装着した状態断面図。
【符号の説明】
【００１０】          １  健康用具
２  足部
３  足裏土踏まず
４  帯状ベルト
５  マジックテープ
６  半円球体突起部
７  フック
８  フック孔
９  マグネット
【図１】
0003102145.tif 000003
【図２】
0003102145.tif 000004
【図３】
0003102145.tif 000005
【図４】
0003102145.tif 000006
【図５】
0003102145.tif 000007
【図６】
0003102145.tif 000008
【手続補正書】
【提出日】平成15年12月22日(2003.12.22)
【手続補正１】
【補正対象書類名】実用新案登録請求の範囲
【補正対象項目名】請求項１
【補正方法】変更
【補正の内容】
【請求項１】
足部に着脱可能な装着手段として、面ファスナーまたはフックを設けた伸縮自在な帯状ベルトの中央部に、ゴムまたは可塑性樹脂からなる半円球体突起部を設け、その半円球体突起部材にトルマリン鉱石粉粒体を添加、またはトルマリン鉱石粒体を突起部に封入し、帯状ベルトを前記装着手段により足部に装着することで、半円球体突起部は足裏土踏まずのツボを常に指圧することすを特徴とする健康用具。
【手続補正２】
【補正対象書類名】明細書
【補正対象項目名】０００４
【補正方法】変更
【補正の内容】
【０００４】本考案は、伸縮自在な帯状ベルトに、足部へ着脱可能な装着手段として、面ファスナーまたは複数のフック及び複数のフック孔を設けることで可能となり、その帯状ベルト中央部に足裏ツボ指圧用のゴムまたは可塑性樹脂からなる半円球体突起部を設け、更に半円球体突起部の先端にマグネットを埋込固定、もしくは前記突起部材にトルマリン鉱石粉粒体を添加、またはトルマリン鉱石粒体を突起部へ封入したことを特徴とする健康用具である。
【手続補正３】
【補正対象書類名】明細書
【補正対象項目名】０００６
【補正方法】変更
【補正の内容】
【０００６】図１は本実施形態の健康用具を上面から見た斜視図である。伸縮自在な帯状ベルト４に面ファスナー５を設け、帯状ベルト４の中央部にゴムまたは熱可塑性樹脂からなる半円球体突起部６を固定し、その半円球体突起部６の部材にトルマリン鉱石粉粒体を添加、またはトルマリン鉱石粒体を半円球体突起部６に封入した構成からなる健康用具。
【手続補正４】
【補正対象書類名】明細書
【補正対象項目名】０００７
【補正方法】変更
【補正の内容】
【０００７】図２は当核健康用具の着脱手段として帯状ベルト４に、複数のフック８及び複数のフック孔９を設けた構成の上面斜面図である。フック取付装着手段にすることで、面ファスナー５による装着手段より強い指圧力を得ることが可能となる。また、半円球体突起部６は、部材であるゴムまたは熱可塑性樹脂にトルマリン鉱石粉粒体を添加、もしくはトルマリン鉱石粒体を半円球体突起部６に封入した構成からなる健康用具。
【手続補正５】
【補正対象書類名】明細書
【補正対象項目名】００１０
【補正方法】変更
【補正の内容】
【００１０】    １  健康用具    ２  足部    ３  足裏土踏まず    ４  帯状ベルト    ５面ファスナー    ６  半円球体突起部    ７  フック    ８  フック孔    ９  マグネット